(57)【特許請求の範囲】
【請求項１】
遊技盤の表面に外レールと内レールを設けると共に、該外レールと内レールで囲まれる遊技領域の外方にレール飾り部材を設け、外レールの内周に沿って飛ぶ遊技球を衝突させて遊技領域の中央方向へ導く球止めをレール飾り部材に設けたパチンコ遊技機であって、
前記球止めをその内部に複数の貫通孔からなる空気弾圧部を設けた円盤状に形成すると共に、その中心孔を前記レール飾り部材に設けた突起に嵌めて該球止めを回転可能にしたことを特徴とするパチンコ遊技機。
【発明の詳細な説明】
【０００１】
【産業上の利用分野】
本発明は、遊技盤の表面に設けられた外レールと内レールで囲まれる遊技領域の外方にレール飾り部材を設け、該レール飾り部材に外レールの内周に沿って飛ぶ遊技球を衝突させて遊技領域の中央方向へ導く球止めを装着してなるパチンコ遊技機に関するものである。
【０００２】
【従来の技術】
従来のパチンコ遊技機においては、遊技盤の表面に外レールと内レールを設けると共に、該外レールと内レールで囲まれる遊技領域の外方にレール飾り部材を設け、該レール飾り部材の外レール終端と相対する位置にゴム，軟質合成樹脂からなる球止めを設けている。この球止めは外レールの内周に沿って飛ぶ遊技球を衝突させて遊技領域の中央方向へ導くためのものである。
【０００３】
【発明が解決しようとする課題】
上記した従来のパチンコ遊技機は、球止めがレール飾り部材に対して固定的に設けられているため、遊技球が球止めに勢いよく衝突すると該遊技球はその勢いが緩和されることなくそのまゝ跳ね返えされて遊技領域に植設された障害釘に強く当ることになり、その結果障害釘が折れたり曲がったりするという問題点があった。特に、球止めが固定されていると遊技球は常に一定方向に跳ね返えされて同じ個所の障害釘に当たり続けることになり、上記した問題点を助長する結果となっている。
【０００４】
本発明は、上記した問題点にかんがみてなされたもので、その目的とするところは、球止めに衝突する遊技球の勢いを緩和すると共に、跳ね返り方向にある程度のばらつきを生じさせるようにして障害釘の折損事故を防止することができるようなパチンコ遊技機を提供することにある。
【０００５】
【課題を解決するための手段】
上記した目的を達成するために、本発明においては、遊技盤の表面に外レールと内レールを設けると共に、該外レールと内レールで囲まれる遊技領域の外方にレール飾り部材を設け、外レールの内周に沿って飛ぶ遊技球を衝突させて遊技領域の中央方向へ導く球止めをレール飾り部材に可動可能に設けるようにしたものである。
【０００６】
上記した球止めには、衝突する遊技球の勢いを効果的に緩和するために、弾性片を設けたり空気弾圧部を設けるとよい。
【０００７】
また、本発明においては、遊技盤の表面に外レールと内レールを設けると共に、該外レールと内レールで囲まれる遊技領域の外方にレール飾り部材を設け、該レール飾り部材には外レールの内周に沿って飛ぶ遊技球を衝突させて遊技領域の中央方向へ導く球止めを収容する収容部を設けると共に、該収容部に球止めを可動可能に収容したものである。
【０００８】
上記球止めを可動可能とするために収容部を球止めより大きく形成し、この収容部に球止めを収容することが効果的である。また、球止めに弾性片や空気弾圧部を設けたり、或いは球止めの前後幅の厚みを薄く形成して屈曲弾性を備えさせるようにするとよい。
【０００９】
【作用】
球止めをレール飾り部材に対して可動可能に設けることにより、遊技球が球止めに衝突した際の衝撃を効果的に吸収緩和し、遊技領域に跳ね返える際の遊技球の勢いを弱めると共に、跳ね返る際の方向性にある程度のバラつきを付与するようにして障害釘の折損事故を確実に防止するように機能する。
【００１０】
【実施例】
以下、図面を参照して本発明の実施例について説明する。図１はパチンコ遊技機の正面図であり、１は側枠、２は側枠１の前面に開閉自在に設けられた額縁状の前面枠である。前面枠２の窓部にはガラス扉枠３と前面飾板４とが一側を軸として開閉自在に設けられている。ガラス扉枠３の後方には遊技盤５が配置され、前面飾板４の前面には打球供給皿６が取付けられている。また、前面枠２の下部には打球供給皿６の余剰球を貯留する余剰球貯留皿７と打球供給皿６の遊技球を発射する際に操作する操作ハンドル８が設けられている。
【００１１】
図２は遊技盤５の正面図である。この遊技盤５の表面には発射位置を有する発射レール９と発射された遊技球を誘導するための外レール１０および内レール１１が設けられており、該外レール１０と内レール１１で囲まれた領域が遊技領域１２を構成している。そして、この遊技領域１２内に遊技球の通路を変更したり妨たげたりする多数の障害釘１３や風車１４，一般入賞口１５或いは大型入賞装置１６および可変表示装置１７等が配設され、遊技領域１２の最下部にはアウト孔１８が設けられている。
【００１２】
前記外レール１０は、発射レール９の先端から滑らかに円弧状に配設されるもので、発射位置から打出された遊技球は、この外レール１０に誘導されて遊技領域１２に導かれ下方に流下する。また、内レール１１は外レール１０の内側に位置しており、入賞しないまゝ遊技領域１２を落下した遊技球を受け止めてこれをアウト孔１８に導き入れる。
【００１３】
前記遊技領域１２の外方に位置した遊技盤５の表面には、外レール１０および内レール１１の外周に沿って合成樹脂製の右辺レール飾り部材１９および左辺レール飾り部材２０が設けられている。右辺のレール飾り部材１９は、外レール１０の終端部分と内レール１１のアウト孔１８より右側上方部分との間に位置するように設けられており、このレール飾り部材１９の外レール１０の終端部分に対応する位置に球止め２１が設けられている。この球止め２１は、外レール１０の内周に沿って飛ぶ遊技球が衝突すると、該遊技球を跳ね返えして遊技領域１２の中央方向へ導くもので、例えばゴム，軟質合成樹脂等の弾性体によって形成されている。
【００１４】
しかして、前記球止め２１はビス止め等の適宜な固定手段によってレール飾り部材１９に固定的に設けられているのが通常であるが、本発明においては図３および図４に示すように球止め２１に支持片２２を取付け、該支持片２２の上端に形成した筒部２３の中心孔２４をレール飾り部材１９の内側に突設した突起２５に嵌めてビス止２６し、それによつて該球止め２１をレール飾り部材１９に回動可能に装着している。なお、レール飾り部材１９には球止め２１が臨む切欠部２７と該球止め２１の回動範囲を規制するための枠片２８が形成されている。
【００１５】
以上説明した本実施例によれば、外レール１０に誘導されて飛送してくる遊技球が球止め２１に衝突すると、該球止め２１が図４鎖線のように突起２５を支点に回動する。このため、遊技球が球止め２１に強く衝突してもその勢いが殺がれることになり、遊技領域１２に跳ね返える遊技球の勢いは著しく減勢されることになる。従って、遊技領域１２に跳ね返える遊技球が障害釘１３に当っても該障害釘１３が曲がったり折れたりするようなことがなくなる。また、球止め２１が回動することによって遊技球の跳ね返る方向にある程度バラつきが生じることになるため、球止め２１に衝突して遊技領域１２に跳ね返る遊技球が同じ障害釘に当って折損事故を助長するというような事態もなくなる。
【００１６】
なお、上記実施例においては、球止め２１に支持片２２を取付け、該支持片２２を介して球止め２１を回動可能なように構成したが、図５に示すように球止め２１の上部に透孔２９を有する支持片部３０を一体に延設し、該支持片部３０の透孔２９をレール飾り部材１９の突起２５に嵌めて回動可能なように構成してもよい。また、図６に示すように球止め２１と一体にレール飾り部材１９の枠片２８に接触可能な弾性片３１を設けておくと、遊技球が衝突した際に弾性片３１が同図鎖線のように押圧されるため、遊技球の衝突時の減勢効果を一段と高めることができる。また、図７に示すように球止め２１を円盤状に形成し、その中心孔３２をレール飾り部材１９の突起２５に嵌めて該球止め部材２１を回転可能なように構成してもよい。この場合、図示のように複数の貫通孔からなる空気弾圧部３３を設けることによつて遊技球の衝突時の減勢効果を高めるようにするとよい。
【００１７】
上記した実施例においては、遊技球が球止め２１に衝突した際の勢いを減少させるための手段として、球止め２１をレール飾り部材１９に対して回動可能に設けたものを示したが、例えば図８ないし図１０に示すようにレール飾り部材１９の内側に囲壁３４を突設して球止め２１を収容する収容部３５を画設し、該収容部３５に球止め２１を可動できるように収容するようにしたものでもよい。
【００１８】
すなわち、図８は収容部３５を球止め２１より大きく形成し、それによって収容部３５内に球止め２１が移動できるような空間３６を形成したものである。この場合、外レール１０に誘導されて飛送してくる遊技球が球止め２１に衝突すると、該球止め２１が図８鎖線のように空間３６の範囲内で移動することになるため、遊技球が球止め２１に強く衝突してもその勢いが殺がれることになり、結局、遊技領域１２に跳ね返える遊技球の勢いは著しく減勢されることになる。
【００１９】
一方、図９に示す実施例は、球止め２１に弾性片３７を一体に設け、該弾性片３７を収容部３５を構成する囲壁３４に接触状に位置させたものである。この場合には、遊技球が球止め２１に強く衝突すると、球止め２１が弾性片３７を介して同図鎖線のように可動することになり、遊技球の勢いは著しく減勢される。
【００２０】
また、図１０に示す実施例は、球止め２１の両端を固定すると共に、前後幅を薄く形成して屈曲弾性を備えさせたものであり、該遊技球が球止め２１に強く衝突すると同図鎖線のように屈曲して遊技球の勢いを減勢する。この場合、図示のように中央部を長溝状に貫通させて空気弾圧部３８を設けることによって減勢効果を一段と高めることができる。
【００２１】
【発明の効果】
以上、説明したところから明らかなように、本発明においては、外レールの内周に沿って飛ぶ遊技球を衝突させて遊技領域の中央方向へ導く球止めを固定的に設けるのではなく、可動可能に設けるようにして遊技球が球止めに衝突した際の衝撃を効果的に吸収緩和するようにしたので、遊技領域に跳ね返える遊技球の勢いを著しく減勢することができ、遊技球が障害釘に当って該障害釘が曲がったり折れたりするような事態を確実に解消することができる。
【図面の簡単な説明】
【図１】本発明に係るパチンコ遊技機の正面図である。
【図２】図１の遊技盤の正面図である。
【図３】レール飾り部材から球止め部材を取外して示す斜視図である。
【図４】球止めの取付け状態を示す要部の断面正面図である。
【図５】球止めの取付け状態を示す他の要部の断面正面図である。
【図６】球止めの取付状態を示すさらに他の要部の断面正面図である。
【図７】球止めの他の実施例の取付状態を示す要部の断面正面図である。
【図８】第２実施例に係る球止めの取付状態を示す要部の断面正面図である。
【図９】第２実施例に係る球止めの他の取付状態を示す要部の断面正面図である。
【図１０】第２実施例に係る球止めの取付状態を示すさらに他の要部の断面正面図である。
【符号の説明】
５          遊技盤
１０        外レール
１１        内レール
１２        遊技領域
１９        レール飾り部材
２１        球止め
３１        弾性片
３３        空気弾圧部
３５        収容部
３６        空間
３７        弾性片
３８        空気弾圧部
【図１】
0004061660.tif 000002
【図２】
0004061660.tif 000003
【図３】
0004061660.tif 000004
【図４】
0004061660.tif 000005
【図５】
0004061660.tif 000006
【図６】
0004061660.tif 000007
【図７】
0004061660.tif 000008
【図８】
0004061660.tif 000009
【図９】
0004061660.tif 000010
【図１０】
0004061660.tif 000011